(57)【特許請求の範囲】
【請求項１】
小片からなる担持基体に海藻の胞子、幼体あるいは成熟体の少なくともいずれか一種を付着させて海藻種苗担持片を形成するとともに、その海藻種苗担持片の状態において造成場所へ運搬し、それらの海藻種苗担持片を基盤に立設する柱体の外表面に対して個々の担持基体を介して分散した状態に取着することにより、海藻種苗を前記柱体の外表面に分布させた状態で海中に沈設することを特徴とする海中林造成方法。
【請求項２】
前記柱体の外表面に嵌合穴を分散させて形成し、それらの嵌合穴に対して個々の担持基体を嵌入することにより、前記海藻種苗担持片を柱体の外表面に分散した状態に取着するようにしたことを特徴とする請求項１に記載の海中林造成方法。
【発明の詳細な説明】
【０００１】
【発明の属する技術分野】
本発明は、海藻を中心とした海中林を造成し、魚介類の繁殖をもたらすように海中の環境を改善するための海中林造成技術に関する。
【０００２】
【従来の技術】
現在、我国においては沿岸漁業の振興が重要な課題であり、魚介、海藻の増殖及び養殖が図られている。しかるに沿岸部においては種々の原因によって藻場が消滅し、藻場を生活の場としていた魚介類が激減する、いわゆる磯焼け現象が各地に拡大している。
【０００３】
一般に海藻は比較的浅い海底の岩石上に着生、繁殖するが、磯焼け海域では岩石が石灰藻で覆われ、海藻が着生し難く生育状態がきわめてわるい。また、砂泥質の海域の場合には海藻が殆ど生育していない。したがって、このような磯焼け海域での藻場の再生や砂泥海域での藻場造りには藻体を持込んで海藻の導入を図ることが必要がある。
【０００４】
ところで、従来の藻場の再生や藻場造りにおいては、コンクリートブロックや自然石を海底に投入したり、その海底に沈設するコンクリートブロックの具体的形状や沈設場所に関して工夫を施すことによって種々の改善を図る試みが行われている（特開平２−２５５０２７号公報、特開平２−７６５２５号公報）。しかしながら、これらの方法では、海藻の生育状態がわるい海域では藻体の着生するチャンスが少ないだけでなく、コンクリート中のアルカリ成分等により良好な着生状態が得難いこともあり、延いては海藻の胞子や幼体がブロック表面に着生したとしても固着度が低いため海流の砂泥などにより流出しやすいといった問題があった。
【０００５】
また、フェルト状の繊維集積体をロール巻にして形成した柱状ないし筒状の培養体や帯状のフェルトを用いて形成した培養体を海中の中間に浮かせたり海底に沈設したりすることにより、その着生面積の増大を図り、海中に浮遊する海藻類の胞子の付着性を促進する試みも行われている（実公平３−５６１９９号公報、実開平４−７１４４８号公報）。しかしながら、これらの造成方法も、海藻の生育のよくない海域においては同様の問題があるとともに、構造的に複雑であるばかりでなく、経年変化等により構造物が老朽化し、フェルトの目詰りなどによって海中林造成用としての本来の機能が損傷されやすく、その残骸物がそのまま海中に残ったり、柱状や筒状の形状を維持できず崩れた状態でしばらく残存して環境を害する虞があるといった問題があった。
【０００６】
【発明が解決しようとする課題】
本発明は、以上のような事情に鑑みてなされたもので、その目的は次の事項を満たすような海中林造成技術を提供するところにある。
（１）海藻の着生及び増殖が容易であり、その造成海域への導入に適していること。
（２）海藻種苗の生命維持管理に適していること。
（３）海中における海藻の胞子、幼体あるいは成熟体の海流等に対する保持力が大きいこと。
（４）造成用構造物の材質や形状に左右されずに適用範囲が広いこと。
（５）運搬に適していること。
【０００７】
【課題を解決するための手段】
本発明は、前記課題を達成するため、海藻の胞子、幼体あるいは成熟体の少なくともいずれか一種（以下、これらを場合により藻体等と称する）を予め小片からなる担持基体に付着させて海藻種苗担持片を形成し、その海藻種苗担持片の状態において造成場所へ運搬し、それらの海藻種苗担持片を基盤に立設する柱体の外表面に対して個々の担持基体を介して分散した状態に取着することにより、海藻種苗を前記柱体の外表面に分布させた状態で海中に沈設して海中林を造成するという技術手段を採用した。なお、前記柱体の外表面に嵌合穴を分散させて形成し、それらの嵌合穴に対して個々の担持基体を嵌入することにより、前記海藻種苗担持片を柱体の外表面に分散した状態に取着するようにしてもよい。
【０００８】
【発明の実施の形態】
本発明の適用可能な海中林造成用の構造物としては、コンクリートや自然石あるいは合成材などから適宜形状に形成されたブロック状の構造物を基盤として間伐材等の木材や竹材などからなる柱体を立設した構造物が使用される。また、前記担持基体としては、木材などにより丸棒やパイプ状などの適宜の形状に形成した棒状の短片や、各種素材から形成した板状片あるいは適宜形状に形成した布状片などから構成される。そして、後述のように、それらの担持基体に対して予め海藻の胞子、幼体あるいは成熟体の少なくともいずれか一種を付着して海藻種苗担持片を形成した後、その海藻種苗担持片を造成場所へ運んで構造物側に取着することになる。この場合、前者の棒状の短片からなる担持基体を用いて形成した海藻種苗担持片は、前記構造物側の適所に形成した嵌合穴等に嵌入し、場合に応じて接着剤などを用いて取着したり、釘等の固着手段を用いて取着することができる。また、後者の板状片や布状片からなる担持基体を用いて形成した海藻種苗担持片は、接着剤や釘、ボルト等の適宜の固着手段を用いて構造物側に取着することができる。
【０００９】
前記担持基体に対して海藻の胞子ないし幼体を付着させるには、その担持基体を構成する前記棒状の短片や板状片あるいは布状片の表面に、場合に応じて予め養藻塗料を塗布したものを用意し、胞子や幼体を含んだ海水等を収容した水槽内などに網材等を用いて位置を保持した状態で所定の期間浸すことにより、アワビやサザエ、ウニなどの餌料として好適なアラメやカジメなどの適宜の海藻の１種あるいは数種の胞子あるいは幼体を着生させることができる。また、海藻の成熟体ないし幼体を付着する場合には、例えば接着剤や結着具、打付け具などの適宜の固定手段を用いて仮根を傷つけないように担持基体に付着し、必要に応じて水槽内等において更に着生させる。この場合、海藻の仮根を担持基体に巻付けるように付着しておけば、仮根が前記担持基体を抱え込むように生長して強固に結合し、海中の海流や波浪に充分対抗しうる保持状態が得られる。なお、担持基体に付着させる海藻の種類や、胞子、幼体、成熟体の各生育段階のものを混在させて付着させてもよい。また、前記養藻塗料としては、後述のように光合成細菌、多孔質粒子を用いた担体及び当該光合成細菌の栄養成分を含有する水域環境改善用塗料が好適である。養藻塗料の塗布により、海藻の着生及び生育が促進されるとともに、その養藻塗料の塗膜により担持基体が保護されるため耐水性が増大し海藻種苗担持片としての耐用年数も延びる。
【００１０】
担持基体に対する海藻の胞子、幼体あるいは成熟体の付着工程が終了して形成された海藻種苗担持片は、その海藻種苗担持片の状態で造成場所へ運んで構造物側に取着される。その場合、なるべく最終的に海中に沈設されるまで前記海藻種苗担持片のまま海水等に浸漬して藻体等を良好な生命状態に維持しておくことが重要である。これにより、良質の種苗を海中林の造成用として実際に提供できるかが左右されるからであり、延いてはその後の造成結果に大きな影響をもつからである。そして、本発明は、正に、前述のように小片からなる担持基体に藻体等を付着させた海藻種苗担持片という中間形態を介在させ、その海藻種苗担持片の形態のまま藻体等の状態維持管理を行うことにより、それらの状態維持管理を現実的に実施可能なものにしたところにも技術的特徴を有するものである。例えば、造成現場までに距離のある場合には、前記海藻種苗担持片を水分、温度等の所定条件を維持した状態で台船に搭載し、現地まで運搬する間の適当なタイミングで構造物側に取着して沈設すれば、きわめて良質の藻体等を提供できることになる。この場合、前述のように、小片からなる担持基体に藻体等を付着させた海藻種苗担持片という形態を介在して小型に形成しているので、その運搬中における水分や温度の維持は、例えば発泡スチロール等の箱に詰める等の簡便な方法で実施することができる。しかも、少ないスペースで多量の海藻種苗担持片の状態維持管理ができるので運搬上のメリットがきわめて大きい。
【００１１】
以上のように、本発明においては、海中林の造成に必要な藻体等は海藻種苗担持片という中間形態を介して供給するため、その単体としての大きさが小さいので取扱いがきわめて簡便である。したがって、藻体等の付着工程における付着条件の維持や作業がし易く、作業スペースも少なくて済むため効率的である。また、運搬時における藻体等の状態維持管理も容易であることは前述のとおりである。さらに、前記海藻種苗担持片を形成した後、海中林造成用の構造物に取着するという方式をとっているため、構造物を構成する柱体の具体的な形状や材質に制限されない。しかも、藻体等の付着及び生命維持管理は海藻種苗担持片単位で実施できるので、適切な管理を容易に行うことができ、良質の海藻種苗を供給することができる。したがって、特に重要な造成初期において、その海藻種苗の導入によって次世代のための良質の核が提供されることになり、やがて構造物の表面全体に広がって着実に海中林が造成されることになる。
【００１２】
【実施例】
以下、本発明の実施例に関して説明する。図１は本発明を適用した一実施例を示した斜視図、図２は担持基体に海藻の胞子あるいは幼体を着生させた海藻種苗担持片を用いた場合、図３は海藻の成熟体を付着させた海藻種苗担持片を用いた場合を例示した概略図である。図中、１は海中林造成用の構造物で、コンクリートブロック等の石材から構成される基盤２及びその基盤２に立設された適数本の木材からなる柱体３によって全体的な骨格が形成される。また、図中、４は前述のように、適宜の担持基体に海藻の胞子、幼体あるいは成熟体５を付着させて形成した海藻種苗担持片である。なお、前記柱体３に使用される木材としては、間伐材等の自然木をそのまま表皮を剥いで、後述の養藻塗料を塗布して被覆したものや、円柱状や角柱状に加工した木材に養藻塗料を塗布して被覆したものなどが用いられる。特定の海藻を繁殖させたい場合には、柱体３の周囲に予め選定した特定の海藻の胞子等を付着した海藻種苗担持片４を取着する。各海藻種苗担持片４の柱体３への取着部位は、柱体３の外表面に対して個々の担持基体を介して分散させ、なるべく同じ平面内に海藻種苗担持片４どうしが競合しないように互いにずらした状態に分散させる。また、石材からなる基盤２は海底に沈設した場合に構造物１を安定させるだけの重量と形状を有せばよく、特に図示の直方体に限られることはなく、自然石を用いてもよい。なお、コンクリートブロックを使用する場合には、内部に空間を設けたり、あるいは適宜形状に形成することにより人工漁礁となり得るものであってもよい。柱体３の長さは、沈設する海域の水深や海藻の種類に応じて適宜決定する。いずれにしても、柱体３の上端が漁船等の船底を傷つけない程度の深さになるように海底へ沈設することが望ましい。
【００１３】
前記柱体３としては、前述のように、間伐材などの自然木の表皮を剥いだものや、所定の断面形状に加工した木材が製造コスト、環境保護等の点から特に好適であるが、設置地域によっては竹材や鉄パイプなどを選択してもよく、それらは腐朽しても環境汚染の原因となることは少ない。なお、合成樹脂パイプの使用ももちろん可能である。これらの柱体３の表面には、前記基盤２に立設する前、あるいは立設後に適宜の養藻塗料を塗布してその外表面に養藻塗料からなる被覆層を形成する。この場合、基盤２の外表面に対しても必要に応じて同様の養藻塗料を塗布する。その養藻塗料としては、一般的に用いられている公知のものでよく特段の限定はないが、その一例として、当出願人が開示した光合成細菌、多孔質粒子を用いた担体及び当該光合成細菌の栄養成分を含有するところの水域環境改善用塗料（特開平５−２４７３７８号公報）が好適である。かかる塗料を使用した場合には、従来の化学肥料等を主成分とする養藻塗料に比べてその持続性が高いため、長期間にわたって海藻の高い着生率を維持し、かつ海藻の生育に必要な栄養分を安定して供給することができる。その結果、海藻の群落において更新が繰返され、安定した海中林が造成されることになる。このようにして形成された所要数の海中林造成用構造物１を海底に適当に敷き並べて沈設することにより３次元的な海中林の基礎が造成される。なお、かかる海中林造成用構造物１を高密度で設置した場合には、人工漁礁としての効果も得られる。
【００１４】
前記海藻種苗担持片４としては、前述のように、木片等の適宜の小片からなる前記担持基体を用い、その表面に場合に応じて養藻塗料を塗布し、予め水槽内等において、アワビやサザエ、ウニなどの餌料として好適なアラメやカジメなどの特定の有用な海藻の１種あるいは数種を選定してその胞子、幼体あるいは成熟体を着生させたものを用いる。この場合、海藻の胞子、幼体、成熟体の各生育段階のものを混在させてもよいことは前述のとおりである。前記養藻塗料自体に関しては、前述の柱体３の外表面に塗布する養藻塗料の場合と同様である。なお、海藻の成熟体などを採用する場合には、例えば接着剤や結束バンドなどの適宜の固定手段を用いて仮根を傷つけないように海藻種苗担持片４に付着する。このようにして得られた海藻種苗担持片４は、柱体３の外表面に形成されたほぞ穴等の嵌合穴に嵌入し、必要に応じて接着剤などにより固定する。なお、前記担持基体として丸棒やパイプなどの横断面が円形のものを使用した場合には、柱体３の嵌合穴に対してどの位置でも嵌合し得るので、その表面に付着した海藻の幼体や成熟体の着生状態に応じて日照等に対する最適位置を考慮して取付けることが可能であり、さらに海藻の仮根が把持しやすいとともに角形のものに比べて影となる部分が少ないなどのメリットがある。
【００１５】
なお、前記実施例においては、海藻種苗担持片４を柱体３に取着した場合に関して説明したが、基盤２の表面に対しても、適当な嵌合穴等を形成して棒状の海藻種苗担持片４を取着したり、前述の板状あるいは布状に形成した海藻種苗担持片を接着剤や適宜の固着手段を用いて取着したりすることができる。
【００１６】
【発明の効果】
本発明によれば、藻体等を小片からなる担持基体に付着して形成した海藻種苗担持片という中間形態を介在させ、その海藻種苗担持片の状態において造成場所へ運搬し、それらの海藻種苗担持片を基盤に立設する柱体の外表面に対して個々の担持基体を介して分散した状態に取着することにより、海藻種苗を前記柱体の外表面に分布させた状態で海中に沈設して海中林を造成するという技術手段を採用したので、次の効果を得ることができる。
（１）海藻の造成海域への導入が海藻種苗担持片という中間形態を介在して行われるので、それに用いられる藻体等の付着作業及び生命維持管理がきわめて容易である。したがって、良質の海藻種苗が提供されるため、海中林のより確実な造成が実現される。
（２）藻体等を小片からなる担持基体に付着して形成した海藻種苗担持片という中間形態を介在させて海中林造成用の構造物側へ取着するように構成したので、それらの個々の担持基体を介して、造成用構造物を構成する柱体の外表面に対して海藻種苗をきわめて簡便に分散した状態に取着することができる。その結果、柱体の外表面全体に分布された生育条件の良好な海藻種苗によって立体的海中林をより効率的かつ確実に造成することが可能である。
（３）小片からなる担持基体に対して藻体等の付着作業が行われるため、その作業管理が簡便で、海藻の生育段階や種類に関わりなく広く各種の種苗の使用が可能である。
（４）海藻は担持基体に対して仮根が巻付くように生長して強固に着生するので、海中における海流や波浪にも流出することのない保持力の大きな造成用構造物が得られる。
（５）海藻種苗担持片を介して、藻体等の造成用構造物に対する取着が行われるため、造成用構造物を構成する柱体の材質や形状に左右されることがない。
（６）小型な海藻種苗担持片の形態での運搬が可能なため、発泡スチロール製ボックス等の簡便な方法で藻体等の生命状態を容易に維持管理しながら運搬することができる。したがって、特に離れた造成場所に対する設置作業などにきわめて有効である。
【図面の簡単な説明】
【図１】本発明を適用した一実施例の全体を示した斜視図である。
【図２】胞子あるいは幼体を着生させた海藻種苗担持片を使用した場合を拡大して示した概略図である。
【図３】成熟体を付着させた海藻種苗担持片を使用した場合を拡大して示した概略図である。
【符号の説明】
１…海中林造成用構造物、２…基盤、３…柱体、４…海藻種苗担持片、５…成熟体
【図１】
0003607387.tif 000002
【図２】
0003607387.tif 000003
【図３】
0003607387.tif 000004